(57)【特許請求の範囲】
【請求項１】
前面に表示パネル収容部が形成されたモジュールケースと、前記ケースの表示パネル収容部に収容された表示パネルと、前記表示パネルの両側縁部および両端縁部の前面にそれぞれその縁部に沿わせて配置された複数の帯状クッション材と、透明板により覆われた表示窓を有し、前記複数のクッション材を介して前記表示パネルを前記ケースに押え固定する前面カバーとを備え、
前記ケースの前面に、前記表示パネル収容部の少なくとも１つのコーナー部に対応させて、前記表示パネル収容部内に連通するクッション材収容凹部が形成され、前記複数の帯状クッション材のうち、少なくとも前記表示パネルの１つの縁部に沿わせて配置されたクッション材の端部が、前記表示パネルの外方に突出されて前記クッション材収容凹部に押込まれていることを特徴とする表示モジュール。
【請求項２】
モジュールケースの前面に、表示パネル収容部の４つのコーナー部にそれぞれ対応する４つのクッション材収容凹部が形成され、表示パネルの両側縁部および両端縁部にそれぞれ沿わせて配置された帯状クッション材のうち、少なくとも前記表示パネルの３つの縁部に沿わせて配置された３本のクッション材の両端部がそれぞれ、前記表示パネルの外方に突出されて前記クッション材収容凹部に押込まれていることを特徴とする請求項１に記載の表示モジュール。
【請求項３】
表示パネルの隣り合う２つの縁部の一方に沿わせて配置されたクッション材の端部と、他方の縁部に沿わせて配置されたクッション材の端部とが、モジュールケースのクッション材収容凹部内において互いに接していることを特徴とする請求項２に記載の表示モジュール。
【請求項４】
端部をモジュールケースのクッション材収容凹部に押込まれるクッション材は、表示パネルの外方に突出する端部を除いて前記表示パネルの前面に貼付けられていることを特徴とする請求項１〜３のいずれかに記載の表示モジュール。
【発明の詳細な説明】
【０００１】
【発明の属する技術分野】
この発明は、表示モジュールに関するものである。
【０００２】
【従来の技術】
例えばノート型パーソナルコンピュータ、電子手帳、薄型テレビジョン受像機等の電子機器に用いられる表示モジュールは、一般に、モジュールケースの表示パネル収容部に液晶表示パネル等の表示パネルを収容するとともに、前記表示パネルの両側縁部および両端縁部の前面にそれぞれその縁部に沿わせて、前記表示パネルの縁部の長さよりも僅かに短い長さの帯状クッション材を配置し、透明板により覆われた表示窓を有する前面カバーにより、前記クッション材を介して前記表示パネルを前記ケースに押え固定した構成となっている。
【０００３】
【発明が解決しようとする課題】
しかし、従来の表示モジュールは、表示パネルの両側縁部および両端縁部の前面にそれぞれ、前記表示パネルの縁部の長さよりも僅かに短い長さの帯状クッション材を配置したものであるため、隣り合うクッション材の間に隙間があり、そのために、塵等の異物が前記クッション材の間の隙間から表示パネルの前面と前面カバーとの間に侵入し、その異物の堆積により画面が汚れて見えるという問題をもっている。
【０００４】
この発明は、表示パネルの前面と前面カバーとの間への異物の侵入を少なくすることができる表示モジュールを提供することを目的としたものである。
【０００５】
【課題を解決するための手段】
この発明の表示モジュールは、前面に表示パネル収容部が形成されたモジュールケースと、前記ケースの表示パネル収容部に収容された表示パネルと、前記表示パネルの両側縁部および両端縁部の前面にそれぞれその縁部に沿わせて配置された複数の帯状クッション材と、透明板により覆われた表示窓を有し、前記複数のクッション材を介して前記表示パネルを前記ケースに押え固定する前面カバーとを備え、前記ケースの前面に、前記表示パネル収容部の少なくとも１つのコーナー部に対応させて、前記表示パネル収容部内に連通するクッション材収容凹部が形成され、前記複数の帯状クッション材のうち、少なくとも前記表示パネルの１つの縁部に沿わせて配置されたクッション材の端部が、前記表示パネルの外方に突出されて前記クッション材収容凹部に押込まれていることを特徴とするものである。
【０００６】
この表示モジュールによれば、表示パネルの両側縁部および両端縁部の前面にそれぞれその縁部に沿わせて配置された帯状クッション材のうち、少なくとも前記表示パネルの１つの縁部に沿わせて配置されたクッション材の端部を前記表示パネルの外方に突出させ、このクッション材の端部を、モジュールケースの前面に前記表示パネル収容部のコーナー部に対応させて形成されたクッション材収容凹部に押込んでいるため、そのクッション材と隣り合う他のクッション材との間の隙間をほとんど無くすことができ、したがって、前面カバーの周囲から入り込んだ異物を前記クッション材により効果的に塞き止め、前記表示パネルの前面と前面カバーとの間への異物の侵入を少なくすることができる。
【０００７】
【発明の実施の形態】
この発明の表示モジュールは、上記のように、表示パネルの両側縁部および両端縁部の前面にそれぞれその縁部に沿わせて配置された帯状クッション材のうち、少なくとも前記表示パネルの１つの縁部に沿わせて配置されたクッション材の端部を前記表示パネルの外方に突出させ、このクッション材の端部を、モジュールケースの前面に前記表示パネル収容部のコーナー部に対応させて形成されたクッション材収容凹部に押込むことにより、そのクッション材と隣り合う他のクッション材との間の隙間をほとんど無くし、前記表示パネルの前面と前面カバーとの間への異物の侵入を少なくするようにしたものである。
【０００８】
この発明の表示モジュールは、前記モジュールケースの前面に、前記表示パネル収容部の４つのコーナー部にそれぞれ対応する４つのクッション材収容凹部が形成され、前記表示パネルの４つの縁部にそれぞれ沿わせて４本のクッション材が配置されるとともに、これらのクッション材のうち、少なくとも前記表示パネルの３つの縁部に沿わせて配置された３本のクッション材の両端部がそれぞれ、前記表示パネルの外方に突出されて前記クッション材収容凹部に押込まれている構成のものが好ましい。
【０００９】
その場合、前記表示パネルの隣り合う２つの縁部の一方に沿わせて配置されたクッション材の端部と、他方の縁部に沿わせて配置されたクッション材の端部とが、前記モジュールケースのクッション材収容凹部内において互いに接しているのがより好ましい。
【００１０】
また、端部をモジュールケースのクッション材収容凹部に押込まれるクッション材は、表示パネルの外方に突出する端部を除いて前記表示パネルの前面に貼付けられているのが好ましい。
【００１１】
【実施例】
図１〜図１４はこの発明の一実施例を示しており、図１は表示モジュールの平面図、図２および図３は図１のII部およびIII部の拡大図、図４および図５は図１のIV−IV線およびV−V線に沿う拡大断面図である。
【００１２】
この実施例の表示モジュールは、図１〜図５に示すように、モジュールケース１０と、前記ケース１０に収容された矩形状の液晶表示パネル２０と、前記液晶表示パネル２０の両側縁部および両端縁部の前面にそれぞれその縁部に沿わせて配置された４本の帯状クッション材３１，３２，３３，３４と、前記表示パネル２０の前側に配置され、前記クッション材３１，３２，３３，３４を介して前記表示パネル２０を前記ケース１０に押え固定する前面カバー４０とからなっている。
【００１３】
図６および図７は、前記液晶表示パネル２０の平面図および拡大側面図である。この液晶表示パネル２０は、単純マトリックス方式のＴＮ（ツイステッドネマティック）型液晶表示パネルであり、その内部構造は図示しないが、周縁部を枠状シール材を介して接合された前後一対の透明基板２１，２２のうち、一方の基板、例えば表示の観察側である前側の基板２１の内面に、列方向（画面の上下方向）に沿う透明な信号電極が複数本互いに平行に設けられ、他方の基板である後側基板２２の内面に、行方向（画面の左右方向）に沿う透明な走査電極が複数本互いに平行に設けられるとともに、前記一対の基板２１，２２間の前記枠状シール材により囲まれた領域に、液晶分子が所定のツイスト角（例えばほぼ９０度）でツイスト配向した液晶層が設けられ、さらに、前記一対の基板２１，２２の外面にそれぞれ偏光板２３，２４が貼付けられている。
【００１４】
なお、この液晶表示パネル２０の一端縁部の側面には、１つまたは複数（図では２つ）の液晶注入部２５が設けられている。この液晶注入部２５には、前記枠状シール材を部分的に欠落させて形成された液晶注入口（図示せず）を有しており、この液晶注入口は、前記一対の基板２１，２２間への液晶の注入後に封止２６により封止されている。
【００１５】
また、前記一対の基板２１，２２のうち、前側基板２１の両側縁部（図６において上下の側縁部）は、後側基板２２よりも僅かに外方に突出し、後側基板２２の前記液晶注入部２５が設けられた側とは反対側の端縁部は、前側基板２１よりも僅かに外方に突出しており、前側基板２１の両側の突出縁部のうちの一方の縁部の内面に、前記複数本の信号電極の端子が配列形成され、後側基板２２の突出縁部の内面に、前記複数本の走査電極の端子が配列形成されている。
【００１６】
そして、前側基板２１の前記一方の突出縁部の内面には、信号側駆動回路（図示せず）が形成されたフレキシブル配線基板２７が接続され、後側基板２２の突出縁部の内面には、走査側駆動回路（図示せず）が形成されたフレキシブル配線基板２８が接続されている。
【００１７】
図８は前記モジュールケース１０の平面図、図９および図１０は図８のIX部およびX部の拡大図、図１１および図１２は図８のXI−XI線およびXII−VII線に沿う拡大断面図である。
【００１８】
このモジュールケース１０は、樹脂成形品からなる薄型ケースであり、その前面に、前記液晶表示パネル２０を収容するための表示パネル収容部１５が形成されるとともに、この表示パネル収容部１５の４つのコーナー部にそれぞれ対応させて、前記表示パネル収容部１５内に連通する４つのクッション材収容凹部１６ａ，１６ｂが形成されている。
【００１９】
すなわち、このモジュールケース１０は、前記液晶表示パネル２０の表示領域に対応する開口１１ａが設けられるとともに両側縁の下面にそれぞれその長さ方向に沿わせて補強リブ１１ｂが形成された矩形枠状の底板部１１と、この底板部１１上の一側縁および一端縁（図８において上側縁および右端縁）にその全長にわたって設けられた壁部１２，１３と、前記底板部１１上の他端縁の両側にそれぞれ設けられた一対の柱部１４とからなっている。
【００２０】
前記壁部１２，１３のうち、一端縁の壁部１３は、外壁板１３ａと、その内側に間隔をおいて形成された内壁板１３ｂとからなっており、前記一側縁の壁部１２と、前記一端縁の壁部１３の内壁板１３ｂと、前記一対の柱部１４とにより囲まれた領域が、表示パネル収容部１５となっている。
【００２１】
なお、前記一端縁の壁部１３の内壁板１３ｂには、前記液晶表示パネル２０の一端縁部の側面に設けられている液晶注入部２５に対して逃げとなる凹入部１３ｃが形成されている。
【００２２】
また、前記一端縁の壁部１３の内壁板１３ｂは、その両側部を、前記外壁板１３ａの両側縁よりも若干内側において外面方向に屈曲させた形状に形成されており、その屈曲部が前記外壁板１３ａにつながっている。
【００２３】
さらに、前記一端縁の壁部１３の外壁板１３ａの両側縁にはそれぞれ、前記内壁板１３ｂの両側縁部を間隔を存して外側から抱える形状の延長部が形成されており、この外壁板１３ａの両側の延長部と前記内壁板１３ｂの両側の屈曲部との間の空間がそれぞれ、前記表示パネル収容部１５の一端側の２つのコーナー部にそれぞれ対応するクッション材収容凹部１６ａとなっている。
【００２４】
このクッション材収容凹部１６ａは、前記液晶表示パネル２０の側縁部に沿わせて配置された帯状クッション材３１，３２の端部を収容する幅を有する溝状凹部である。
【００２５】
また、前記一対の柱部１４はそれぞれ、前記表示パネル収容部１５の中心に対向する角部をその全長にわたって切除した形状の角筒状に形成されており、これらの柱部１４内がそれぞれ、前記表示パネル収容部１５の他端側の２つのコーナー部にそれぞれ対応するクッション材収容凹部１６ｂとなっている。
【００２６】
このクッション材収容凹部１６ｂは、前記液晶表示パネル２０の側縁部に沿わせて配置された帯状クッション材３１，３２と、前記液晶表示パネル２０の液晶注入部１５が設けられた側とは反対側の端縁部に沿わせて配置された帯状クッション材３３との両方の端部を収容する面積を有している。
【００２７】
なお、前記一側縁の壁部１２と、一端縁の壁部１３の外壁板１３ａおよび内壁板１３ｂと、一対の柱部１４は、同じ高さに形成されており、また、前記一端縁の壁部１３の外壁板１３ａの一側の延長部と、前記一対の柱部１４のうちの一側の柱部１４はそれぞれ、前記一側縁の壁部１２と連続させて形成されている。
【００２８】
また、前記底板部１１の両側と他端側の３辺の上面には、前記開口１１ａの縁部からある程度離間させて、前記液晶表示パネル２０の後側基板２２とその外面に貼付けられた後側偏光板２４との両方の厚さよりも僅かに低い高さの突条１７が形成されており、さらに、前記３辺の突条１７の交差部にそれぞれ、前記液晶表示パネル２０の前側基板２１の両側の突出縁部の他端側（液晶注入部２５が設けられた側とは反対側）の端縁と、後側基板２２の突出縁部の両側の端縁とに当接する表示パネル位置決めピン１８が、前記壁部１２，１３および柱部１４と同じ高さに突設されている。
【００２９】
また、このモジュールケース１０の両端部の両側にはそれぞれ、電子機器の機器ケースに表示モジュールをビス止めするためのフランジ部１９ａ，１９ｂが設けられている。
【００３０】
図１３および図１４は前記前面カバー４０の平面図および拡大断面図であり、この前面カバー４０は、液晶表示パネル２０の表示領域に対応する表示窓４２を有するフレーム４１と、前記表示窓４２を覆う透明板４４とからなっている。
【００３１】
前記フレーム４１は、両側縁および両端縁に、前記モジュールケース１０を外側から抱えるように折曲部４１ａが形成されたアルミニウム等からなる金属製フレームであり、その前面に前記表示窓４２が設けられるとともに、両端部の両側にそれぞれ、前記ケース１０の両端部の両側にそれぞれ設けられたビス止め用のフランジ部１９ａ，１９ｂにそれぞれ対応するビス止め用のフランジ部４３ａ，４３ｂが形成されている。
【００３２】
また、前記透明板４４は、前記フレーム４１の前面の外形とほぼ同じ形状のアクリル樹脂板であり、前記フレーム４１の前面に、前記表示窓４２を覆って貼付けられている。なお、図では省略しているが、この透明板４４の外面または内面の外周部には、前記液晶表示パネル２０の表示領域の周縁部を覆い隠すための目隠し印刷（図示せず）が施されている。
【００３３】
次に、前記液晶表示パネル２０の４つの縁部の前面にそれぞれその縁部に沿わせて配置される４本の帯状クッション材３１，３２，３３，３４について説明すると、このクッション材３１，３２，３３，３４は、発泡ウレタンまたは軟質ゴムからなっている。
【００３４】
前記４本の帯状クッション材３１，３２，３３，３４のうち、液晶表示パネル２０の液晶注入部２５が設けられた端縁部を除く３つの縁部に配置される３本のクッション材、つまり液晶表示パネル２０の両側縁と液晶注入部２５が設けられた側とは反対側の端縁部とにそれぞれ沿わせて配置されるクッション材３１，３２，３３は、液晶表示パネル２０の側縁部または端縁部の長さよりも大きい長さを有しており、この３本のクッション材３１，３２，３３はそれぞれ、図６に仮想線（二点鎖線）で示したように、前記液晶表示パネル２０の両側縁の前面と液晶注入部２５を有する側とは反対側の端縁の前面とに、両端部を液晶表示パネル２０の外方に突出させた状態で貼付けられている。
【００３５】
また、他の１本のクッション材、つまり液晶表示パネル２０の液晶注入部２５が設けられた端縁部に沿わせて配置されるクッション材３４は、前記液晶表示パネル２０の端縁部の長さよりも僅かに短い長さを有しており、このクッション材３４は、図１３および図１４に示したように、前記前面カバー４０のフレーム４１に設けられた表示窓４２内にその一端縁に沿わせて設けられ、前記透明板４４の内面に貼付けられている。
【００３６】
この実施例の表示モジュールは、図１〜図５に示したように、前側基板２１の一方の突出縁部と後側基板２２の突出縁部とにフレキシブル配線基板２７，２８が接続され、両側縁部の前面と液晶注入部２５が設けられた側とは反対側の端縁部の前面とにそれぞれ前記帯状クッション材３１，３２，３３がその両端部を外方に突出させて貼付けられた液晶表示パネル２０を、前記モジュールケース１０の表示パネル収容部１５に収容し、前記クッション材３１，３２，３３の液晶表示パネル２０の外方に突出している両端部を、前記ケース１０のクッション材収容凹部１６ａ，１６ｂに押込んだ状態で、前記ケース１０の前側から前面カバー４０を、その透明板４４の内面に貼付けられた前記帯状クッション材３４を前記液晶表示パネル２０の液晶注入部２５が設けられた端縁部の前面に対向させて嵌装し、この前面カバー４０により前記クッション材３１，３２，３３，３４を介して前記液晶表示パネル２０を前記ケース１０の表示パネル収容部１５の底板部１１に押え固定することにより組立てられる。
【００３７】
この表示モジュールの組立てにおいて、前記液晶表示パネル２０は、モジュールケース１０の一側縁の壁部１２および一端縁の壁部１３の内壁板１３ｂと、前記ケース１０の底板部１１上に突設された位置決めピン１８とにより位置決めされて前記ケース１０の表示パネル収容部１５に嵌込まれ、後側偏光板２４の周縁部を前記表示パネル収容部１５の底板部１１により支持されるとともに、後側基板２２が前記底板部１１の上面に形成された突条１７の内側に入り込み、前側基板２１の両側の突出縁部がそれぞれ前記突条１７の上側に突き出した状態で前記表示パネル収容部１５に収容される。
【００３８】
また、前記前面カバー４０のフレーム４１の両側縁および両端縁の折曲部４１ａのうち、モジュールケース１０の壁部１２，１３が設けられた側とは反対側に対応する折曲部４１ａは、前記ケース１０の側縁および端縁を間隔を存して外側から抱えるように形成されており、前記液晶表示パネル２０に接続されたフレキシブル配線基板２７，２８は、前記前面カバー４０の折曲部４１ａで押されて後方に折り曲げられ、前記ケース１０の側縁および端縁と前面カバー４０の折曲部４１ａとの隙間から後方に突出する。
【００３９】
この表示モジュールは、例えば電子機器の機器ケース（図示せず）内に、モジュールケース１０のフランジ部１９ａ，１９ｂを前記機器ケース内に設けられたモジュール固定部に支持させて収納され、前面カバー４０に設けられたフランジ部２９ａ，２９ｂを前記ケース１０のフランジ部１９ａ，１９ｂの上に重ねて前記モジュール固定部にビス止めすることにより、前記前面カバー４０により液晶表示パネル２０をモジュール１０に押え固定した状態で実装される。
【００４０】
また、図示しないが、この表示モジュールの背後にはバックライトが配置され、前記ケース１０の側縁および端縁と前面カバー４０の折曲部４１ａとの隙間から後方に突出したフレキシブル配線基板２７，２８は、前記バックライトの背面側に折り曲げられ、このバックライトの背面側のスペースに収容される。
【００４１】
このように、前記表示モジュールは、前面に表示パネル収容部１５が形成されたモジュールケース１０と、前記ケース１０の表示パネル収容部１５に収容された液晶表示パネル２０と、前記液晶表示パネル２０の両側縁部および両端縁部の前面にそれぞれその縁部に沿わせて配置された４本の帯状クッション材３１，３２，３３，３４と、透明板４４により覆われた表示窓４２を有し、前記クッション材３１，３２，３３，３４を介して前記液晶表示パネル２０を前記ケース１０に押え固定する前面カバー４０とを備え、且つ、前記ケース１０の前面に、前記表示パネル収容部１５の４つのコーナー部に対応させて、前記表示パネル収容部１５内に連通するクッション材収容凹部１６ａ，１６ｂが形成され、前記４本のクッション材３１，３２，３３，３４のうち、前記液晶表示パネル２０の液晶注入部２５が設けられた端縁部を除く３つの縁部に沿わせて配置された３本のクッション材３１，３２，３３の両端部がそれぞれ、前記液晶表示パネル２０の外方に突出されて前記クッション材収容凹部１６ａ，１６ｂに押込まれているものである。
【００４２】
この表示モジュールは、液晶表示パネル２０の両側縁部および両端縁部の前面にそれぞれその縁部に沿わせて配置された４本のクッション材３１，３２，３３，３４のうち、前記液晶表示パネル２０の注入部２５を有する縁部を除く３つの縁部に配置された３本のクッション材３１，３２，３３の両端部を前記液晶表示パネル２０の外方に突出させ、これらのクッション材３１，３２，３３の端部を前記ケース２０の前面に前記表示パネル収容部１５のコーナー部に対応させて形成されたクッション材収容凹部１６ａ，１６ｂに押込んだものであるため、これらのクッション材３１，３２，３３の間の隙間をほとんど無くすことができ、したがって、前面カバー４０の周囲から塵等の異物が入り込んでも、その異物を前記４本のクッション材３１，３２，３３，３４により効果的に塞き止め、前記液晶表示パネル２０の前面と前面カバー４０との間への異物の侵入を少なくすることができる。
【００４３】
しかも、この実施例では、前記液晶表示パネル２０の隣り合う２つの縁部（液晶表示パネル２０の一側縁部または他側縁部と、液晶注入部２５が設けられた側とは反対側の端縁部）の一方に沿わせて配置されたクッション材３１，３２の端部と、他方の縁部に沿わせて配置されたクッション材３３の端部とが、図１および図２に示したように、前記クッション材収容凹部１６ｂ内において互いに接しているため、これらのクッション材３１，３３間および３２，３３間からの異物の侵入をほぼ完全に無くすことができる。
【００４４】
なお、前記液晶表示パネル２０の両側縁部および両端縁部の前面にそれぞれその縁部に沿わせて配置された４本のクッション材３１，３２，３３，３４のうち、前記液晶表示パネル２０の液晶注入部２５が設けられた端縁部に沿わせて配置されたクッション材３４は、前記液晶表示パネル２０の端縁部の長さよりも僅かに短い長さの帯状クッション材であり、このクッション材３４は前記クッション材収容凹部１６ａ，１６ｂに押込まれていないため、このクッション材３４と前記液晶表示パネル２０の一側縁および他側縁に配置されたクッション材３１，３２との間には隙間があるが、前記液晶表示パネル２０の両側縁部と液晶注入部２５が設けられた側とは反対側の端縁部にそれぞれ沿わせて配置された前記３本のクッション材３１，３２の間にはほとんど隙間が無いため、この表示モジュールは、全てのクッション材の間に隙間がある従来の表示モジュールに比べて、高い防塵性をもっている。
【００４５】
また、この実施例では、端部をモジュールケース１０のクッション材収容凹部１６ａ，１６ｂに押込まれる前記３本のクッション材３１，３２，３３を、液晶表示パネル２０の外方に突出する端部を除いて液晶表示パネル２０の前面に貼付けるとともに、前記液晶表示パネル２０の注入部２５を有する縁部に配置されるクッション材３４を前面カバー４０に貼付けているため、前記ケース２０の表示パネル収容部１５に液晶表示パネル２０を嵌込み収容し、この液晶表示パネル２０の前面に貼付けられている前記３本のクッション材３１，３２，３３の両端部をそれぞれ前記クッション材収容凹部１６ａ，１６ｂに押込んだ後に、前面カバー４０を装着することにより、前記液晶表示パネル２０の両側縁および両端縁の前面にそれぞれ帯状３１，３２，３３，３４が配置された表示モジュールを容易に組立てることができ、しかも、前記クッション材３１，３２，３３，３４がずれ動いて前面カバー４０の表示窓４２の内側にはみ出のを防止することができる。
【００４６】
なお、上記実施例では、液晶表示パネル２０の液晶注入部２５が設けられた端縁部に沿わせて配置されたクッション材３４の長さを、前記液晶表示パネル２０の端縁部の長さよりも僅かに短くしているが、このクッション材３４を、その両端部が前記液晶表示パネル２０の外方に突出する長さのものとするとともに、モジュールケース１０の一端側のクッション材収容凹部１６ａを、他端側のクッション材収容凹部１６ｂと同程度の面積に形成し、前記クッション材３４の両端部も前記クッション材収容凹部１６ａに押込むようにしてもよく、このようにすることにより、防塵性をより高くすることができる。その場合は、前記クッション材３４も、液晶表示パネル２０の端縁部の前面に貼付けるのが好ましい。
【００４７】
また、この発明の表示モジュールは、モジュールケース１０の前面に、前記表示パネル収容部１５の少なくとも１つのコーナー部に対応させて、前記表示パネル収容部内に連通するクッション材収容凹部を形成し、前記液晶表示パネルの両側縁部および両端縁部の前面にそれぞれその縁部に沿わせて配置された４本の帯状クッション材３１，３２，３３，３４のうち、少なくとも前記液晶表示パネル２０の１つの縁部に沿わせて配置されたクッション材の端部を、前記液晶表示パネル２０の外方に突出させて前記クッション材収容凹部に押込んだ構成のものでもよく、その場合でも、全てのクッション材の間に隙間がある従来の表示モジュールに比べて、高い防塵性を得ることができる。
【００４８】
なお、上記実施例の表示モジュールは、単純マトリックス型の液晶表示パネル２０を備えたものであるが、表示パネルは、アクティブマトリックス型の液晶表示パネルでも、あるいは、液晶以外の電気光学物質（例えば電気泳動またはエレクトロクロミック）を用いた表示パネルでもよい。
【００４９】
【発明の効果】
この発明の表示モジュールは、前面に表示パネル収容部が形成されたモジュールケースと、前記ケースの表示パネル収容部に収容された表示パネルと、前記表示パネルの両側縁部および両端縁部の前面にそれぞれその縁部に沿わせて配置された複数の帯状クッション材と、透明板により覆われた表示窓を有し、前記複数のクッション材を介して前記表示パネルを前記ケースに押え固定する前面カバーとを備え、前記ケースの前面に、前記表示パネル収容部の少なくとも１つのコーナー部に対応させて、前記表示パネル収容部内に連通するクッション材収容凹部が形成され、前記複数の帯状クッション材のうち、少なくとも前記表示パネルの１つの縁部に沿わせて配置されたクッション材の端部が、前記表示パネルの外方に突出されて前記クッション材収容凹部に押込まれているものであるため、前面カバーの周囲から入り込んだ異物を前記クッション材により効果的に塞き止め、前記表示パネルの前面と前面カバーとの間への異物の侵入を少なくすることができる。
【００５０】
この発明の表示モジュールは、前記モジュールケースの前面に、前記表示パネル収容部の４つのコーナー部にそれぞれ対応する４つのクッション材収容凹部が形成され、前記表示パネルの４つの縁部にそれぞれ沿わせて４本のクッション材が配置されるとともに、これらのクッション材のうち、少なくとも前記表示パネルの３つの縁部に沿わせて配置された３本のクッション材の両端部がそれぞれ、前記表示パネルの外方に突出されて前記クッション材収容凹部に押込まれている構成のものが好ましく、このような構成とすることにより、高い防塵性を得ることができる。
【００５１】
その場合、前記表示パネルの隣り合う２つの縁部の一方に沿わせて配置されたクッション材の端部と、他方の縁部に沿わせて配置されたクッション材の端部とが、前記モジュールケースのクッション材収容凹部内において互いに接しているのがより好ましく、このようにすることにより、防塵性をより高くすることができる。
【００５２】
また、端部をモジュールケースのクッション材収容凹部に押込まれるクッション材は、表示パネルの外方に突出する端部を除いて前記表示パネルの前面に貼付けられているのが好ましく、このようにすることにより、表示モジュールの組立てを容易にするとともに、前記クッション材がみだりにずれ動いて前面カバーの表示窓の内側にはみ出すのを防止することができる。
【図面の簡単な説明】
【図１】この発明の一実施例を示す表示モジュールの平面図。
【図２】図１のII部の拡大図。
【図３】図１のIII部の拡大図。
【図４】図１のIV−IV線に沿う拡大断面図。
【図５】図１のV−V線に沿う拡大断面図。
【図６】液晶表示パネルの平面図。
【図７】前記液晶表示パネルの拡大側面図。
【図８】モジュールケースの平面図。
【図９】図８のIX部の拡大図。
【図１０】図８のX部の拡大図。
【図１１】図８のXI−XI線に沿う拡大断面図。
【図１２】図８のXII−VII線に沿う拡大断面図。
【図１３】前面カバーの平面図。
【図１４】前記前面カバーの拡大断面図。
【符号の説明】
１０…モジュールケース
１５…表示パネル収容部
１６ａ，１６ｂ…クッション材収容凹部
２０…液晶表示パネル
２５…液晶注入部
２７，２８…フレキシブル配線基板
３１，３２，３３，３４…帯状クッション材
４０…前面カバー
４１…フレーム
４２…表示窓
４４…透明板
【図１】
0003738350.tif 000002
【図２】
0003738350.tif 000003
【図３】
0003738350.tif 000004
【図４】
0003738350.tif 000005
【図５】
0003738350.tif 000006
【図６】
0003738350.tif 000007
【図７】
0003738350.tif 000008
【図８】
0003738350.tif 000009
【図９】
0003738350.tif 000010
【図１０】
0003738350.tif 000011
【図１１】
0003738350.tif 000012
【図１２】
0003738350.tif 000013
【図１３】
0003738350.tif 000014
【図１４】
0003738350.tif 000015